(57)【要約】      （修正有）【課題】ゲルを使用しつつ、そのゲルが外部に漏れ出さないもの且つ内部のゲル等が移動しない自転車用のサドルカバーを提供する。【解決手段】サドルの上面を被覆する上面部１０とサドルの周側面乃至下面を被覆する周側面部とを縫製してサドルを被覆できる形状とし、周側面部の下端開口縁部にはサドルへの固定手段が設けられる。上面部１０及び周側面部はＰＶＣシートから形成する。上面部１０は、ＰＶＣシートを２枚重ね合わせ、その間に熱可塑性樹脂からなる柔軟変形部材１２を介在させ、その後その全周縁部を高周波溶着したものを使用する。前記柔軟変形部材１２の上面に更にウレタンフォーム等のクッション部材１４を重ね合わせて、その後その全周縁部を溶着してもよい。【選択図】図２
0003142574.tif 000002
【実用新案登録請求の範囲】
【請求項１】
サドルの上面を被覆する上面部とサドルの周側面乃至下面を被覆する周側面部とを縫製してサドルを被覆できる形状とし、周側面部の下端開口縁部にはサドルへの固定手段が設けられたサドルカバーにおいて、
上面部(10)及び周側面部(20)をＰＶＣ等の合成皮革素材から形成し、
上面部(10)は、上記合成皮革素材を２枚重ね合わせ、その間にＴＰＲ等の熱可塑性樹脂からなる柔軟変形部材(12)を介在させ、その後その全周縁部を溶着したものを使用し、
この上面部(10)に前記周側面部(20)を縫着したことを特徴とする自転車用サドルカバー。
【請求項２】
上面部(10)に介在させた柔軟変形部材(12)の上面に更にウレタンフォーム等のクッション部材(14)を重ね合わせ、その後その全周縁部を溶着したことを特徴とする請求項１に記載の自転車用サドルカバー。
【請求項３】
全周縁部が溶着された上面部(10)の裏面に更にウレタンフォーム等のクッション部材(18)を積層したことを特徴とする請求項１又は２に記載の自転車用サドルカバー。
【考案の詳細な説明】
【技術分野】
【０００１】
本考案は、自転車のサドルに被覆して使用するサドルカバーの改良に関するものである。
【背景技術】
【０００２】
自転車のサドルに被覆して使用するサドルカバーとしては、従来から種々のものが存在している。その目的は、クッション性を高めるため、雨よけや埃よけのため、或いは、サドルの傷や汚れを隠すため等であり、その目的に応じて種々のタイプのものが存在している。
これらの内、スポーツサイクル等に使用されている硬いサドルのためのクッション性を高めるものとして、ゲル（ＴＰＲ等の熱可塑性樹脂）入りのサドルカバーが市販されている。
【０００３】
このゲル入りサドルカバーは、サドルの上面を被覆する上面部と、サドルの周側面乃至下面を被覆する周側面部とからなり、前記上面部の全周縁部に前記周側面部を縫製してサドルを被覆できる形状とし、上面部の内部にはゲルを内装したものである。周側面部の下端全周縁部には紐挿通部が設けられ、この紐挿通部内に紐を挿通し、この紐の両端部を絞り、縛り付けることによってカバーがサドルに固定されるものである。
【０００４】
サドルへの装着に際しては、周側面部の下端開口部を広げ、サドルの上方から被せて、上面部をサドルの上面に適合させ、紐挿通部に挿通されている紐の両端部を相互に縛り付け、或いは紐の両端部に取り付けられたストッパー部材により絞り上げて、カバーをサドルに固定することができる。
カバーの上面部に内装されたゲルの有する柔軟性又は弾力性によって、自転車使用者の臀部の痛みが解消されることとなる。
【０００５】
このような従来のゲル入りサドルカバーの場合には、ゲル自体は、柔軟性等はあるものの、平面方向に大きな伸縮性を有するものではないため、カバーの上面部は、自転車のサドルの平面視形状とほぼ同様の形状と大きさに形成され、その周側面部の生地において伸縮性を保持させ、上面部の周縁部でこの周側面部を縫着してカバーが形成されている。
従って、従来のこの種のサドルカバーにおいては、その全体が織地等から形成されており、その上面部はネオプレンゴム等が使用されているが、その表面に撥水処理や防水処理が施されているにもかかわらず、周側面部に雨水等がしみ込んだり、上記縫製部から雨水等が浸入することを防止することができず、雨等の場合には、カバーをサドルから外さなければならなかった。
【０００６】
そこで、本考案者は、ゲル等の柔軟性部材を利用した柔軟性に富んだサドルカバーであって、しかも、雨水等の浸入もほぼ完全に防止でき、降雨時でも装着したままにしておけるタイプのものを提供すべく下記特許文献に記載のツーピースのサドルカバーを提案したのである。
【０００７】
このツーピースから成るサドルカバーは、サドルの上面に載置されるクッション部材と、サドルの上面及び周側面のほぼ全体を被覆できる袋状のカバー部の２つの部材からなり、
カバー部は、防水性を有する伸縮自在のシート状のものから形成され、カバー部下面開口部の周縁部にはこのカバーをサドルに固定するための固定手段が設けられ、前記クッション部材をサドルの上面に載置した後、前記カバー部を伸張させてサドルに被覆し、前記固定手段によってカバー部をサドルに固定すると共に、クッション部材もサドルの上面に配置、固定されるように構成したものであった。
【特許文献１】実用新案登録第３１１８０５２号公報
【考案の開示】
【考案が解決しようとする課題】
【０００８】
しかしながら、上記のツーピースから成るサドルカバーにおいては、その内側でサドル上面に載置されるクッション部材が外側のカバー部内部で移動してしまうということが生じた。
更にもう一つ重要な問題として、上記従来のスポーツサイクル用のゲル入りカバーにおいても孕む問題であるが、カバー上面部に配設したゲルが外部に漏れ出すという問題が生じたのである。
【０００９】
ゲルは、ＴＰＲ（Thermoplastic Rubber）等の熱可塑性樹脂から出来ており、外気が摂氏５０度を超えると軟化して、外部を被覆する生地の縫目から漏れ出すという問題が生じた。また、外部の生地が破損した場合も同様にゲルが外部に漏れ出してしまう。
そこで、本考案においては、ゲルを使用しつつカバーの柔軟性を保持させると共に、そのゲルが外部に漏れ出さないものを提供することをその第一の課題としている。
また、ゲルが設けられた部分がサドルの上面部から移動してしまわないカバーを提供することもその課題とする。
即ち、ツーピースタイプのカバーのように、内部の柔軟部材又はクッション部材が移動してしまわないようにすることも本考案の課題である。  
【課題を解決するための手段】
【００１０】
上記課題を解決するために、本考案の第１のものは、サドルの上面を被覆する上面部とサドルの周側面乃至下面を被覆する周側面部とを縫製してサドルを被覆できる形状とし、周側面部の下端開口縁部にはサドルへの固定手段が設けられたサドルカバーにおいて、上面部及び周側面部をＰＶＣ等の合成皮革素材から形成し、上面部は、上記合成皮革素材を２枚重ね合わせ、その間にＴＰＲ等の熱可塑性樹脂からなる柔軟変形部材を介在させ、その後その全周縁部を溶着したものを使用し、この上面部に前記周側面部を縫着したことを特徴とする自転車用サドルカバーである。
ここで、ＰＶＣとは、polyvinyl chloride（ポリ塩化ビニル）を意味し、ＴＰＲとは、thermoplastic rubber（熱可塑性ゴム状素材）を意味する樹脂である。
【００１１】
本考案の第２のものは、上記第１の考案において、上面部に介在させた柔軟変形部材の上面に更にウレタンフォーム等のクッション部材を重ね合わせ、その後その全周縁部を溶着したことを特徴とする自転車用サドルカバーである。
【００１２】
本考案の第３のものは、上記第１又は第２の考案において、全周縁部が溶着された上面部の裏面に更にウレタンフォーム等のクッション部材を積層したことを特徴とする自転車用サドルカバーである。
【考案の効果】
【００１３】
本考案の第１のものにおいては、先ず、その上面部及び周側面部の素材をＰＶＣ等の合成皮革素材から形成しているために、防水性を有し、雨が降った場合であっても、水がしみ込む恐れがなく、降雨時でも本考案に係るカバーをサドルにつけたままにしておくことが可能となる。
また、上面部の全外周縁部が高周波等により溶着されているために、その内部に配備されている熱可塑性樹脂からなる柔軟変形部材が外部に漏れ出したり、はみ出したりすることが防止できる。
更に、本考案は、上面部と周側面部を縫製して一体的に形成しているために、その一部分が移動することもなく、柔軟変形部材は、常にサドルの上面に位置したままの状態を維持することとなる。
【００１４】
本考案の第２のものにおいては、上面部の内部に配設した熱可塑性樹脂からなる柔軟変形部材の上面に更にウレタンフォーム等のクッション部材を積層したために、その柔軟変形部材に更に反発性を加味して、より弾力性、クッション性を向上させた。
【００１５】
本考案の第３のものにおいても、上記第２の考案と同様に、クッション部材を上面部の裏面に更に積層してそのクッション性を向上させたものである。
【考案を実施するための最良の形態】
【００１６】
以下、添付の図面と共に本考案の最良の実施形態について説明する。
図１は、本考案の実施形態に係るサドルカバーの全体を示し、その（Ａ）が上面側から見た斜視図であり、その（Ｂ）が下面側の説明図である。
本考案に係るサドルカバーは、それぞれＰＶＣシートから成る上面部１０と周側面部２０とから形成され、上面部１０の外周縁部に周側面部２０を縫着したものである。
両者を縫着する際には、後に説明するが、従来の製法と同様にパイピング用の帯状部材１５を２つ折して両者の縫着箇所に介在させて縫製する。
【００１７】
（Ｂ）図から解る通り、カバーの周側面部２０の下端開口縁部の後方側には、弾力性を有するゴム紐からなる弾性帯状部材２１が縫着され、その前方側には、ハトメ２４が４箇所に設けられ、これらのハトメ２４を利用して締着用紐２５、２５を用いて、自転車のサドルにこのカバーを固定することができる。
この固定手段は、種々の構成を採用することができ、周側面部２０の下端開口縁部の全体に挿通部を形成して、紐状部材を前記挿通部に挿通して、前記紐状部材を絞って縛り付けることによりサドルに固定することもできる。
【００１８】
図１からは、明瞭に見て取ることができないが、本考案の特徴部分であるカバーの上面部１０の構成は、後の図２において詳述するが、２枚のほぼ同一形状のＰＶＣシートを重ね合わせ、その間にＴＰＲからなる熱可塑性樹脂を介在させている。
実際には、２枚の内の下側のＰＶＣシートの上面に前記熱可塑性樹脂からなる柔軟変形部材を所定厚み接合接着しておくのである。
【００１９】
更に、本考案の実施形態においては、上記柔軟変形部材の上面に７ｍｍ程度のウレタンフォームのシート状体からなるクッション部材を更に重ね合わせ、その後に２枚のＰＶＣシートの周縁部全体を高周波溶着にて接合接着し、上記柔軟変形部材とクッション部材を内部に密閉して上面部１０を形成している。
本考案では、更に、上記上面部１０の裏面に、（Ｂ）図に表われているウレタンフォームからなるクッション部材１８を裏打している。１９は、このクッション部材１８を上面部１０の裏面に保持する保持部材を示している。
【００２０】
図２は、図１のＤ−Ｄ線断面図で、前記実施形態に係る上面部のみを図示したものである。
既に説明した通り、上面部１０は、表面ＰＶＣシート１０ｓと裏面ＰＶＣシート１０ｒの間に柔軟変形部材１２とクッション部材１４とが積層されて、介在されて成るものである。
柔軟変形部材１２としては、ＴＰＲ（thermoplastic rubber）という熱可塑性樹脂を使用しており、このＴＰＲは厚さ約７ｍｍ程度のもので、これを裏面ＰＶＣシート１０ｒの上面に接合接着したものを用いている。
【００２１】
そして、この裏面ＰＶＣシート１０ｒにＴＰＲが接着されたものの更に上面に厚さ約７ｍｍ程度のウレタンフォームからなるクッション部材１４を重ね合わせ、その後表面ＰＶＣシート１０ｓを更に積層し、この周縁部の全体を高周波溶着Hするのである。
図２では、構造を明瞭に示すため、柔軟変形部材１２とその上のクッション部材１４との間に少しの空間を設けて描いているが、実際には密着した状態となっている。
ここで、クッション部材１４は、上面部１０の反発力をより向上させるために積層したものであるが、このクッション部材１４を積層せずに実施することも可能である。
【００２２】
このクッション部材１４を積層せずに上面部を形成すると、低反発クッションのような感触となる。とりわけスポーツサイクル等の極めて硬い素材からなるサドルの場合にはこのクッション部材を積層せずに実施するのが望ましいが、このカバー上面部の柔軟性、反発性等はやはり使用者の好みにより選択されるべきものである。
【００２３】
柔軟変形部材１２は、ＴＰＲからなり、その表面は、粘着性質を有しているために、クッション部材１４は、柔軟変形部材１２の上に単に重ね合わせるのみでよく、何ら接着手段を必要としない。即ち、上記のように上面部１０の全周を溶着しておくのみで、クッション部材１４がその内部で移動してしまう恐れはない。
後は、上記上面部１０の周縁部に周側面部を縫製すればよいのである。
【００２４】
図３は、上記本考案の実施形態に係る上面部に周側面部を縫着する部位の拡大説明図である。
この上面部の外周縁部と周側面部との縫着方法は、従来の所謂ハイデックス加工法を採用している。
即ち、その外周縁部全体が高周波溶着された上面部１０の周縁部１０pを内側方向に折り込み、帯状部材１５を略２つ折して略パイプ状にして、更に周側面部２０の上縁部２０ｐを内側方向に折り込んで、これらの縁部を縫着Ｍするのである。
【００２５】
上記の説明では、図面との整合性を図るために、上面部１０の周縁部１０ｐ及び周側面部２０の上縁部２０ｐを内側方向に折り込んで縫製すると記載したが、実際にはこれらの縁部は平面的に重ね合わせてミシンで縫製する。つまり、周側面部２０を丁度図３で上面部１０の上面側に反転させて平らな状態として、その間に帯状部材１５を挟み込んで縫製するのである。
【００２６】
これにより、縫製後の外観において、その縫製部位にパイプ状のラインが表われ、この帯状部材１５は、その美観と共に、縫製部位の補強、水漏れ防止の機能を保持させるものである。
このハイデックス加工の他に、パイピング加工方法も採用することができ、このパイピング加工では、上記帯状部材１５の代わりに、すでにパイプ状の部材を用いてそのまま縫製ラインで共に縫着することにより、上記ハイデックス加工と同様の機能及び外観を付加することができるものである。
【００２７】
最後に、本実施形態においては、上面部１０の裏面、つまり裏面ＰＶＣシート１０ｒの下面に更に略２０ｍｍ程度のウレタンフォームからなるクッション部材１８を内設している。
このクッション部材１８は、前記図１（Ｂ）で説明したように、保持部材１９で保持するように構成することができるが、その他ネット状のものにより保持させることもでき、その内設保持方法は、全く自由に設計することができる。
【００２８】
以上、本考案の一実施形態について説明したが、本考案においては種々設計変更することができる。
上面部の表面シートと裏面シート、及び周側面部は、ＰＶＣシートを使用したが所謂合成皮革として採用できる素材であれば、どのような素材をも使用することが可能である。要は、適度な柔軟性を有し、防水性と、皮革のような外観を有していればよいものである。
【００２９】
柔軟変形部材も、上記実施形態ではＴＰＲを使用したが、所謂ゲル構造を有するもので柔軟性を有するものであればどのような素材を使用してもよい。
更にクッション部材も、ウレタンフォームを使用したが、その他弾力性を発揮するものであれば採用可能である。
勿論、カバーの大きさ、形状、色、模様、固定手段等は、必要に応じて自由に設定することが可能である。
以上、本考案は、所謂ゲルを使用し、更にその反発性を高めるためのクッション部材をも付加し、そして上面部の周囲を溶着させる構造を採用することにより前記ゲルが漏れ出さず、柔軟反発部位もずれてしまうことのない極めて多機能且つ効果の優れた自転車用サドルカバーを提供することができた。
【図面の簡単な説明】
【００３０】
【図１】本考案の実施形態に係るサドルカバーの全体を示し、その（Ａ）が上面側から見た斜視図であり、その（Ｂ）が下面側の説明図である。
【図２】図１のＤ−Ｄ線断面図で、前記実施形態に係る上面部のみを図示したものである。
【図３】本考案の実施形態に係る上面部に周側面部を縫着する部位の拡大説明図である。
【符号の説明】
【００３１】
１０  上面部
１０ｓ  表面ＰＶＣシート
１０ｒ  裏面ＰＶＣシート
１０ｐ  周縁部
１２  柔軟変形部材
１４、１８  クッション部材
２０  周側面部
２０ｐ  上縁部
Ｈ  高周波溶着
Ｍ  縫着
【図１】
0003142574.tif 000003
【図２】
0003142574.tif 000004
【図３】
0003142574.tif 000005